(57)【要約】      （修正有）【課題】物品を取り付けるための装置であって、本体と、本体の第１および第２の側で配向された第１および第２のフックを備えるカラビナを提供する。【解決手段】本体に取り付けられかつ第１のフック１１０を閉じるように配向された第１のゲート１２０と、本体に取り付けられかつ第２のフック１１０を閉じるように配向された第２のゲート１２０とを含む。装置はさらに、それぞれ第１および第２のゲート上で配向された第１および第２の摺動ロック１３０を含み、この第１および第２の摺動ロック１３０は、摺動ロック１３０が本体にある第１および第２の切欠き部１４０内に位置決めされるロック位置である第１の位置と、第１および第２の摺動ロック１３０が第１および第２の切欠き部１４０から遠位に位置決めされるロック解除位置である第２の位置とを有する。【選択図】図１
2018151074.tif 000002
【特許請求の範囲】
【請求項１】
物品を取り付けるための装置であって、
本体と、
前記本体の第１および第２の側に配向された第１および第２のフックと、
前記本体に取り付けられかつ前記第１のフックを閉じるように配向された第１のゲート、および、前記本体に取り付けられかつ前記第２のフックを閉じるように配向された第２のゲートと、
それぞれ前記第１および第２のゲート上に配向された第１および第２の摺動ロックであって、前記摺動ロックが前記本体の第１および第２の切欠き部内に位置決めされるロック位置である第１の位置と、前記第１および第２の摺動ロックが前記第１および第２の切欠き部から遠位に位置決めされるロック解除位置である第２の位置とを有する、第１および第２の摺動ロックと
を含む、装置。
【請求項２】
前記第１および第２の切欠き部が、それぞれ前記第１のゲートの第１の枢支点、および前記第２のゲートの第２の枢支点に近接する、請求項１に記載の装置。
【請求項３】
前記本体がＳ字様の形状を有し、前記第１および第２のフックが前記Ｓ字様の形状を形成する、請求項１に記載の装置。
【請求項４】
第１および第２のフックを有するカラビナ本体であって、前記第１および第２のフックが、それぞれ第１および第２の開口部を有する、カラビナ本体と、
第１および第２のゲートであって、前記第１のゲートが前記第１の開口部を閉じるように、かつ、前記第２のゲートが前記第２の開口部を閉じるように、前記カラビナ本体と相互接続された、第１および第２のゲートと、
それぞれ前記第１および第２のゲート上を上下に摺動するように構成された第１および第２の摺動体と
を含む、ダブルカラビナ。
【請求項５】
第１のフックを有するカラビナ本体であって、前記第１のフックが第１の開口部を有する、カラビナ本体と、
前記第１の開口部を閉じるように前記カラビナ本体と相互接続された、第１のゲートと、
前記第１のゲート上を上下に摺動するように構成された第１の摺動体であって、前記第１のゲートをロックする第１の位置と、前記第１のゲートをロック解除する第２の位置とを前記カラビナ本体に対して有する、第１の摺動体と
を含む、ロック式カラビナ。
【請求項６】
前記カラビナ本体が、前記第１のゲートが前記カラビナ本体と相互接続されている箇所に近接して第１の切欠き部を有し、前記第１の切欠き部が、前記第１の摺動体が前記第１の位置にあるときに前記第１の摺動体を受け入れるようにサイズ設定される、請求項５に記載のロック式カラビナ。
【請求項７】
前記第１の摺動体が、前記第１の切欠き部を押すことにより前記第１のゲートが開位置に回転することを防止する、請求項６に記載のロック式カラビナ。
【請求項８】
前記カラビナ本体が、第２の開口部を有する第２のフックを含み、
前記第１の開口部を閉じるように前記カラビナ本体と相互接続された第２のゲートと、
前記第２のゲート上を上下に摺動するように構成された第２の摺動体であって、前記第
２のゲートをロックする第３の位置と、前記第２のゲートをロック解除する第４の位置とを前記カラビナ本体に対して有する、第２の摺動体と
をさらに備える、請求項７に記載のロック式カラビナ。
【請求項９】
前記カラビナ本体が、前記第１のゲートが前記カラビナ本体と相互接続されている箇所に近接して第１の切欠き部を有し、前記第１の切欠き部が、前記第１の摺動体が前記第１の位置にあるときに前記第１の摺動体を受け入れるようにサイズ設定され、前記第１の摺動体が、前記第１の切欠き部を押すことにより前記第１のゲートが開位置に回転することを防止する、請求項８に記載のロック式カラビナ。
【請求項１０】
前記第１および第２のフックが、前記カラビナ本体においてＳ字形状を形成する、請求項９に記載のロック式カラビナ。
【請求項１１】
前記第１および第２のゲートが、針金枠ゲートであり、前記針金枠ゲートが、第１および第２の摺動体を含み、各前記摺動体がタブを含み、前記タブが、前記第１および第２のゲートが前記針金枠ゲートの端部から外れることを防止するために、前記針金枠の内側にはまるようにサイズ設定される、請求項１０に記載のロック式カラビナ。
【請求項１２】
前記第１および第２の摺動体が、前記針金枠ゲートの周囲にほぼ楕円の形状を有する、請求項１１に記載のロック式カラビナ。
【請求項１３】
前記第１および第２の摺動体が、それぞれ、前記第１および第２の摺動体の取り外しを可能とするように構成された切欠き部を有する、請求項１２に記載のロック式カラビナ。
【請求項１４】
前記第１および第２の摺動体が、それぞれ、各端部に第１および第２の開口部を有し、前記第１および第２の摺動体が、前記第２の開口部における狭窄により前記第１および第２の摺動体がそれぞれ前記第１および第２のカラビナゲートから外れることが防止されるように、前記第１の開口部と前記第２開口部から徐々に狭まっている、請求項１２に記載のロック式カラビナ。
【請求項１５】
ロック式ダブルカラビナを使用する方法であって、
第１および第２のゲートの各ゲート上に摺動体を有するロック式ダブルカラビナを用意するステップと、
前記第１のゲート上の前記摺動体を、第１のロック位置から第２のロック解除位置へ摺動させるステップと、
前記第１のゲートを開くステップと
を含む、方法。
【請求項１６】
前記第１のゲートを閉じるステップと、
前記第１のゲート上の前記第１の摺動体を、前記第２のロック解除位置から、前記第１のゲートがロックされる前記第１のロック位置へ摺動させるステップと
をさらに含む、請求項１５に記載の方法。
【請求項１７】
前記第１のロック位置が、前記第１のゲートの前記摺動体を、前記ダブル・ロック式カラビナの本体にある切欠き部内に位置決めし、前記摺動体は、前記摺動体が前記切欠き部内にあるときに、前記第１のゲートが開くことを防止する、請求項１６に記載の方法。
【請求項１８】
前記切欠き部が、前記第１のゲートと前記ダブルカラビナの前記本体との相互接続点の近傍に配置される、請求項１７に記載の方法。
【請求項１９】
前記本体が、第１および第２のフックを含み、前記第１および第２のフックが、前記カラビナ本体においてＳ字形状を形成する、請求項１８に記載のロック式カラビナ。
【請求項２０】
前記第１および第２のゲートが、針金枠ゲートであり、前記針金枠ゲートが、第１および第２の摺動体を含み、各前記摺動体がタブを含み、前記タブが、前記第１および第２のゲートが前記針金枠ゲートの端部から外れることを防止するために、前記針金枠の内側にはまるようにサイズ設定される、請求項１９に記載のロック式カラビナ。
【発明の詳細な説明】
【背景技術】
【０００１】
カラビナは、多くの状況において、様々な取付け点から安全に物体を吊すために使用される。場合により、カラビナのゲートは、運動中の出来事によって外れることがあり、また、ゲートが開きカラビナが脱離することがある。こうした脱離は望ましくない。
【発明の概要】
【０００２】
一実施形態では、物品を取り付けるための装置が、本体と、本体の第１および第２の側で配向された第１および第２のフックとを含む。装置はさらに、本体に取り付けられかつ第１のフックを閉じるように配向された第１のゲートと、本体に取り付けられかつ第２のフックを閉じるように配向された第２のゲートとを含む。装置はさらに、第１および第２のゲート上でそれぞれ配向された第１および第２の摺動ロックを含み、この第１および第２の摺動ロックは、摺動ロックが本体にある第１および第２の切欠き部内に位置決めされるロック位置である第１の位置と、第１および第２の摺動ロックが第１および第２の切欠き部から遠位に位置決めされるロック解除位置である第２の位置とを有する。場合により、第１および第２の切欠き部は、それぞれ第１のゲートの第１の枢支点、および第２のゲートの第２の枢支点に近接する。１つの構成では、本体がＳ字様の形状を有し、第１および第２のフックがＳ字様の形状を形成する。
【０００３】
別の実施形態では、ダブルカラビナが、第１および第２のフックを有するカラビナ本体を含み、第１および第２のフックは、それぞれ第１および第２の開口部を有する。ダブルカラビナは、第１および第２のゲートをさらに含み、第１および第２のゲートは、第１のゲートが第１の開口部を閉じるように、また、第２のゲートが第２の開口部を閉じるように、カラビナ本体と相互接続される。ダブルカラビナは、それぞれ第１および第２のゲート上を上下に摺動するように構成された第１および第２の摺動体をさらに含む。
【０００４】
別の実施形態では、ロック式カラビナが、第１のフックを有するカラビナ本体を含み、第１のフックは、第１の開口部を有する。ロック式カラビナはさらに、第１の開口部を閉じるようにカラビナ本体と相互接続された第１のゲートを含む。ロック式カラビナはさらに、第１のゲート上を上下に摺動するように構成された第１の摺動体を含み、第１の摺動体は、第１のゲートをロックする第１の位置と、第１のゲートをロック解除する第２の位置とをカラビナ本体に対して有する。場合により、カラビナ本体は、第１のゲートがカラビナ本体と相互接続されている箇所に近接して第１の切欠き部を有し、この第１の切欠き部は、第１の摺動体が第１の位置にあるときにその第１の摺動体を受け入れるようにサイズ設定される。一実施形態では、第１の摺動体は、第１の切欠き部を押すことにより第１のゲートが開位置へ回転することを防止する。別の実施形態では、カラビナ本体は、第２の開口部を有する第２のフックを含み、またさらに、第１の開口部を閉じるようにカラビナ本体と相互接続された第２のゲートと、第２のゲート上を上下に摺動するように構成された第２の摺動体とを含み、第２の摺動体は、第２のゲートをロックする第３の位置と、第２のゲートをロック解除する第４の位置とをカラビナ本体に対して有する。一代替形態では、カラビナ本体は、第１のゲートがカラビナ本体と相互接続されている箇所に近接して第１の切欠き部を有し、この第１の切欠き部は、第１の摺動体が第１の位置にあるときにその第１の摺動体を受け入れるようにサイズ設定され、また、第１の摺動体は、第１の切欠き部を押すことにより第１のゲートが開位置へ回転することを防止する。別の代替形態では、第１および第２のフックは、カラビナ本体においてＳ字形状を形成する。場合により、第１および第２のゲートは、針金枠ゲートであり、この針金枠ゲートは、第１および第２の摺動体を含み、また、各摺動体がタブを含み、このタブは、第１および第２のゲートが針金枠ゲートの端部から外れることを防止するために、針金枠の内側にはまるよう
にサイズ設定される。あるいは、第１および第２の摺動体は、針金枠ゲートの周囲に、ほぼ楕円の形状を有する。場合により、第１および第２の摺動体は、それぞれ、第１および第２の摺動体の取り外しを可能とするように構成された切欠き部を有する。別の代替形態では、第１および第２の摺動体は、それぞれ、各端部に第１および第２の開口部を有し、また、第１および第２の摺動体は、第２の開口部における狭窄により第１および第２の摺動体がそれぞれ第１および第２のカラビナゲートから外れることが防止されるように、第１の開口部と第２の開口部から徐々に狭まっている。
【０００５】
一実施形態では、ロック式ダブルカラビナを使用する方法が、第１および第２のゲートの各ゲート上に摺動体を有するロック式ダブルカラビナを用意するステップと、第１のゲート上の摺動体を第１のロック位置から第２のロック解除位置へ摺動させるステップと、第１のゲートを開くステップとを含む。場合により、方法はさらに、第１のゲート上の摺動体を第２のロック解除位置から第１のゲートがロックされる第１のロック位置へ摺動させて第１のゲートを閉じるステップを含む。別の実施形態では、第１のロック位置は、第１のゲートの摺動体を、ダブル・ロック式カラビナの本体にある切欠き部内に位置決めし、摺動体は、摺動体が切欠き部内にあるときに、第１のゲートが開くことを防止する。場合により、切欠き部は、第１のゲートとダブルカラビナの本体との相互接続点の近傍に配置される。別の代替形態では、本体は、第１および第２のフックを含み、第１および第２のフックは、カラビナ本体においてＳ字形状を形成する。場合により、第１および第２のゲートは、針金枠ゲートであり、この針金枠ゲートは、第１および第２の摺動体を含み、また、各摺動体がタブを含み、このタブは、第１および第２のゲートが針金枠ゲートの端部から外れることを防止するために、針金枠の内側にはまるようにサイズ設定される。
【図面の簡単な説明】
【０００６】
【図１】ロック式ダブルカラビナの一実施形態の正面図である。
【図２】図１のロック式ダブルカラビナのフック部分の正面図である。
【図３】図１のロック式ダブルカラビナのゲート部分を示す図である。
【図４ａ】図４ａは、図１のロック式ダブルカラビナのロック部分を示す図である。
【図４ｂ】図４ｂは、図４ａのロック部分の断面図である。
【図５ａ】図５ａは、ロック式ダブルカラビナの別の実施形態を示す図である。
【図５ｂ】図５ｂは、ロック式ダブルカラビナの別の実施形態を示す図である。
【発明を実施するための形態】
【０００７】
様々なシステムおよび方法が、ロック式ダブルカラビナに含まれる。図１は、ロック式ダブルカラビナ（ＬＤＣ）１００の一実施形態を示す。ＬＤＣ１００は、上部および下部のフック１１０を含む。ゲート１２０が、各フック１１０を覆って閉じるように配向される。摺動ロック１３０が、切欠き部１４０内のロッキング位置へ摺動することにより、ＬＤＣ１００のゲート１２０のロックを実現する。図面から明らかなように、摺動ロック１３０は、ＬＤＣ１００のゲート１２０を固定する。したがって、ゲート１２０に圧力が加えられたとしても、ゲート１２０が開くことはない。摺動ロック１３０は、ゲート１２０上を上下に摺動することができる。
【０００８】
図２は、ＬＤＣ１００のフック１１０部分を、追加的な金具類を取り除いた状態で示す。フック部分は、ゲート穴２２０、２３０、およびゲート切欠き部２１０を含む。
【０００９】
図３は、ゲート１２０を示す。ゲート１２０は、ペッグ３１０、角度付き部分３３０、およびアーム３２０を含む。
【００１０】
図４ａは、摺動ロック１３０を示す。摺動ロック１３０は、ゲート１２０を受け入れるための穴、外側本体４３０、およびタブ４１０を含み、タブ４１０は、摺動ロック１３０
がゲート１２０から外れることを防止する。この厚さが減少した領域は、図４ｂの端部４５５に見られる。端部４６０および空間４５０の寸法は、それらがゲート１２０を収容しかつゲート１２０上を容易に摺動することができる一方で、ゲート１２０の端部を通過することができないほどに狭い端部４５５をタブ４１０が作るようにサイズ設定される。
【００１１】
図５ａおよび図５ｂは、ロック式ダブルカラビナ５１０の一代替実施形態を示す。この実施形態では、代替的な摺動ロック５３０が示されている。前述の摺動ロック１３０と同様に、この摺動ロック５３０は、カラビナ５１０のゲート５２０をロックする機能を果たす。摺動ロック５３０は、より容易にゲート５２０から取り外すことができる。摺動ロック５３０は、開口部５４０およびタブ５５０を含む、開いたＧ字様の形状を有する。タブ４１０に関連して前述したように、タブ５５０は、摺動ロック５３０がカラビナ５１０の端部から外れることを防止する。開口部５４０は、摺動ロック５３０が曲げられて取り外され、またゲート５２０に装着されることを可能にする。
【００１２】
上記の詳細な説明は、ロック式ダブルカラビナのためのシステムおよび方法を実施するための少数の実施形態の説明であり、範囲を限定するように意図されたものではない。以下の特許請求の範囲では、開示されたロック式ダブルカラビナのシステムおよび方法の多数の実施形態が、より詳細に説明される。
【図１】
2018151074.tif 000003
【図２】
2018151074.tif 000004
【図３】
2018151074.tif 000005
【図４ａ】
2018151074.tif 000006
【図４ｂ】
2018151074.tif 000007
【図５ａ】
2018151074.tif 000008
【図５ｂ】
2018151074.tif 000009
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
物品を取り付けるための装置であって、
本体と、
前記本体の第１および第２の側に配向された第１および第２のフックと、
前記本体に取り付けられかつ前記第１のフックを閉じるように配向された第１のゲート、および、前記本体に取り付けられかつ前記第２のフックを閉じるように配向された第２のゲートと、
それぞれ前記第１および第２のゲート上に配向された第１および第２の摺動ロックであって、前記摺動ロックが前記本体の第１および第２の切欠き部内に位置決めされるロック位置である第１の位置と、前記第１および第２の摺動ロックが前記第１および第２の切欠き部から遠位に位置決めされるロック解除位置である第２の位置とを有する、第１および第２の摺動ロックとを含む、装置。
【請求項２】
前記第１および第２の切欠き部が、それぞれ前記第１のゲートの第１の枢支点、および前記第２のゲートの第２の枢支点に近接する、請求項１に記載の装置。
【請求項３】
前記本体がＳ字様の形状を有し、前記第１および第２のフックが前記Ｓ字様の形状を形成する、請求項１に記載の装置。
【請求項４】
第１および第２のフックを有するカラビナ本体であって、前記第１および第２のフックが、それぞれ第１および第２の開口部を有する、カラビナ本体と、
第１および第２のゲートであって、前記第１のゲートが前記第１の開口部を閉じるように、かつ、前記第２のゲートが前記第２の開口部を閉じるように、前記カラビナ本体と相互接続された、第１および第２のゲートと、
それぞれ前記第１および第２のゲート上を上下に摺動するように構成された第１および第２の摺動体とを含む、ダブルカラビナ。
【請求項５】
第１のフックを有するカラビナ本体であって、前記第１のフックが第１の開口部を有する、カラビナ本体と、
前記第１の開口部を閉じるように前記カラビナ本体と相互接続された、第１のゲートと、
前記第１のゲート上を上下に摺動するように構成された第１の摺動体であって、前記第１のゲートをロックする第１の位置と、前記第１のゲートをロック解除する第２の位置とを前記カラビナ本体に対して有する、第１の摺動体とを含む、ロック式カラビナ。
【請求項６】
前記カラビナ本体が、前記第１のゲートが前記カラビナ本体と相互接続されている箇所に近接して第１の切欠き部を有し、前記第１の切欠き部が、前記第１の摺動体が前記第１の位置にあるときに前記第１の摺動体を受け入れるようにサイズ設定される、請求項５に記載のロック式カラビナ。
【手続補正２】
【補正対象書類名】明細書
【補正対象項目名】００１２
【補正方法】変更
【補正の内容】
【００１２】
上記の詳細な説明は、ロック式ダブルカラビナのためのシステムおよび方法を実施するための少数の実施形態の説明であり、範囲を限定するように意図されたものではない。以下の特許請求の範囲では、開示されたロック式ダブルカラビナのシステムおよび方法の多数の実施形態が、より詳細に説明される。
以上説明したように、本発明は以下の形態を有する。
［形態１］
物品を取り付けるための装置であって、
本体と、
前記本体の第１および第２の側に配向された第１および第２のフックと、
前記本体に取り付けられかつ前記第１のフックを閉じるように配向された第１のゲート、および、前記本体に取り付けられかつ前記第２のフックを閉じるように配向された第２のゲートと、
それぞれ前記第１および第２のゲート上に配向された第１および第２の摺動ロックであって、前記摺動ロックが前記本体の第１および第２の切欠き部内に位置決めされるロック位置である第１の位置と、前記第１および第２の摺動ロックが前記第１および第２の切欠き部から遠位に位置決めされるロック解除位置である第２の位置とを有する、第１および第２の摺動ロックとを含む、装置。
［形態２］
前記第１および第２の切欠き部が、それぞれ前記第１のゲートの第１の枢支点、および前記第２のゲートの第２の枢支点に近接する、形態１に記載の装置。
［形態３］
前記本体がＳ字様の形状を有し、前記第１および第２のフックが前記Ｓ字様の形状を形成する、形態１に記載の装置。
［形態４］
第１および第２のフックを有するカラビナ本体であって、前記第１および第２のフックが、それぞれ第１および第２の開口部を有する、カラビナ本体と、
第１および第２のゲートであって、前記第１のゲートが前記第１の開口部を閉じるように、かつ、前記第２のゲートが前記第２の開口部を閉じるように、前記カラビナ本体と相互接続された、第１および第２のゲートと、
それぞれ前記第１および第２のゲート上を上下に摺動するように構成された第１および第２の摺動体とを含む、ダブルカラビナ。
［形態５］
第１のフックを有するカラビナ本体であって、前記第１のフックが第１の開口部を有する、カラビナ本体と、
前記第１の開口部を閉じるように前記カラビナ本体と相互接続された、第１のゲートと、
前記第１のゲート上を上下に摺動するように構成された第１の摺動体であって、前記第１のゲートをロックする第１の位置と、前記第１のゲートをロック解除する第２の位置とを前記カラビナ本体に対して有する、第１の摺動体とを含む、ロック式カラビナ。
［形態６］
前記カラビナ本体が、前記第１のゲートが前記カラビナ本体と相互接続されている箇所に近接して第１の切欠き部を有し、前記第１の切欠き部が、前記第１の摺動体が前記第１の位置にあるときに前記第１の摺動体を受け入れるようにサイズ設定される、形態５に記載のロック式カラビナ。
［形態７］
前記第１の摺動体が、前記第１の切欠き部を押すことにより前記第１のゲートが開位置に回転することを防止する、形態６に記載のロック式カラビナ。
［形態８］
前記カラビナ本体が、第２の開口部を有する第２のフックを含み、
前記第１の開口部を閉じるように前記カラビナ本体と相互接続された第２のゲートと、
前記第２のゲート上を上下に摺動するように構成された第２の摺動体であって、前記第２のゲートをロックする第３の位置と、前記第２のゲートをロック解除する第４の位置とを前記カラビナ本体に対して有する、第２の摺動体とをさらに備える、形態７に記載のロック式カラビナ。
［形態９］
前記カラビナ本体が、前記第１のゲートが前記カラビナ本体と相互接続されている箇所に近接して第１の切欠き部を有し、前記第１の切欠き部が、前記第１の摺動体が前記第１の位置にあるときに前記第１の摺動体を受け入れるようにサイズ設定され、前記第１の摺動体が、前記第１の切欠き部を押すことにより前記第１のゲートが開位置に回転することを防止する、形態８に記載のロック式カラビナ。
［形態１０］
前記第１および第２のフックが、前記カラビナ本体においてＳ字形状を形成する、形態９に記載のロック式カラビナ。
［形態１１］
前記第１および第２のゲートが、針金枠ゲートであり、前記針金枠ゲートが、第１および第２の摺動体を含み、各前記摺動体がタブを含み、前記タブが、前記第１および第２のゲートが前記針金枠ゲートの端部から外れることを防止するために、前記針金枠の内側にはまるようにサイズ設定される、形態１０に記載のロック式カラビナ。
［形態１２］
前記第１および第２の摺動体が、前記針金枠ゲートの周囲にほぼ楕円の形状を有する、形態１１に記載のロック式カラビナ。
［形態１３］
前記第１および第２の摺動体が、それぞれ、前記第１および第２の摺動体の取り外しを可能とするように構成された切欠き部を有する、形態１２に記載のロック式カラビナ。
［形態１４］
前記第１および第２の摺動体が、それぞれ、各端部に第１および第２の開口部を有し、前記第１および第２の摺動体が、前記第２の開口部における狭窄により前記第１および第２の摺動体がそれぞれ前記第１および第２のカラビナゲートから外れることが防止されるように、前記第１の開口部と前記第２開口部から徐々に狭まっている、形態１２に記載のロック式カラビナ。
［形態１５］
ロック式ダブルカラビナを使用する方法であって、
第１および第２のゲートの各ゲート上に摺動体を有するロック式ダブルカラビナを用意するステップと、
前記第１のゲート上の前記摺動体を、第１のロック位置から第２のロック解除位置へ摺動させるステップと、
前記第１のゲートを開くステップとを含む、方法。
［形態１６］
前記第１のゲートを閉じるステップと、
前記第１のゲート上の前記第１の摺動体を、前記第２のロック解除位置から、前記第１のゲートがロックされる前記第１のロック位置へ摺動させるステップとをさらに含む、形態１５に記載の方法。
［形態１７］
前記第１のロック位置が、前記第１のゲートの前記摺動体を、前記ダブル・ロック式カラビナの本体にある切欠き部内に位置決めし、前記摺動体は、前記摺動体が前記切欠き部内にあるときに、前記第１のゲートが開くことを防止する、形態１６に記載の方法。
［形態１８］
前記切欠き部が、前記第１のゲートと前記ダブルカラビナの前記本体との相互接続点の近傍に配置される、形態１７に記載の方法。
［形態１９］
前記本体が、第１および第２のフックを含み、前記第１および第２のフックが、前記カラビナ本体においてＳ字形状を形成する、形態１８に記載のロック式カラビナ。
［形態２０］
前記第１および第２のゲートが、針金枠ゲートであり、前記針金枠ゲートが、第１および第２の摺動体を含み、各前記摺動体がタブを含み、前記タブが、前記第１および第２のゲートが前記針金枠ゲートの端部から外れることを防止するために、前記針金枠の内側にはまるようにサイズ設定される、形態１９に記載のロック式カラビナ。
【外国語明細書】
2018151074000001.pdf